(57)【要約】【課題】プルスキャンを実行する情報処理システムにおいて、通信規格に応じて最適なデータの送信を行うことにより、ノイズの低減と利便性の向上とを両立させることが可能となる情報処理システムを提供する。【解決手段】画像形成装置１とＰＣ１１７とを有するシステムであって、画像形成装置１は、画像を読み取る指示を受信し、ネットワークの通信規格を検出し、画像を読み取り、画像データを作成し、検出したネットワークの通信規格に応じて画像データを圧縮するか否かを判断し、判断手段が画像データを圧縮すると判断した場合は、圧縮した画像データを送信し、判断手段が画像データを圧縮しないと判断した場合は、ＲＡＷデータを送信する。【選択図】図１
2016149666.tif 000002
【特許請求の範囲】
【請求項１】
画像形成装置と情報処理装置とを有するシステムであって、
前記画像形成装置は、
画像を読み取る指示を受信する受信手段と、
ネットワークの通信規格を検出する検出手段と、
前記画像を読み取り、画像データを作成する読み取り手段と、
前記検出手段が検出した前記ネットワークの通信規格に応じて前記画像データを圧縮するか否かを判断する判断手段と、
前記判断手段が前記画像データを圧縮すると判断した場合は、圧縮した画像データを送信し、前記判断手段が前記画像データを圧縮しないと判断した場合は、非圧縮の画像データを送信する送信手段と、
を備える、ことを特徴とする情報処理システム。
【請求項２】
前記検出手段が検出した前記ネットワークの通信規格がデータ変調方式としてマンチェスタ符号化方式を用いる場合に、前記判断手段は、前記画像データを圧縮すると判断する、ことを特徴とする請求項１に記載の情報処理システム。
【請求項３】
前記検出手段が検出した前記ネットワークの通信規格が１０Ｂａｓｅ−Ｔである場合に、前記判断手段は、前記画像データを圧縮すると判断する、ことを特徴とする請求項１または２に記載の情報処理システム。
【請求項４】
前記画像形成装置は、
前記検出手段が検出した前記ネットワークの通信規格に応じた通信速度を前記情報処理装置に通知する通知手段をさらに備え、
前記情報処理装置は、
前記通知された通信速度に応じて、前記送信された画像データが前記圧縮した画像データか、または前記非圧縮の画像データか、を判断する、
ことを特徴とする請求項３に記載の情報処理システム。
【請求項５】
前記画像形成装置は、
前記判断手段が前記画像データを圧縮すると判断した場合に、前記画像データに対して可逆圧縮を行うか、または非可逆圧縮を行うかを設定する設定手段をさらに備える、ことを特徴とする請求項３または４に記載の情報処理システム。
【請求項６】
前記画像形成装置は、
自装置のネットワークの通信規格の設定を切り替える切り替え手段をさらに備え、
前記切り替え手段は、前記検出手段が検出した前記ネットワークの通信規格が１０Ｂａｓｅ−Ｔである場合に、前記自装置のネットワークの通信規格の設定を１０Ｂａｓｅ−Ｔ以外の通信規格に切り替える、ことを特徴とする請求項３ないし５のいずれか１項に記載の情報処理システム。
【請求項７】
画像を読み取る指示を受信する受信手段と、
ネットワークの通信規格を検出する検出手段と、
前記画像を読み取り、画像データを作成する読み取り手段と、
前記検出手段が検出した前記ネットワークの通信規格に応じて前記画像データを圧縮するか否かを判断する判断手段と、
前記判断手段が前記画像データを圧縮すると判断した場合は、圧縮した画像データを送信し、前記判断手段が前記画像データを圧縮しないと判断した場合は、非圧縮の画像データを送信する送信手段と、
を備える、ことを特徴とする画像形成装置。
【請求項８】
画像形成装置と情報処理装置とを有するシステムの制御方法であって、
前記画像形成装置が、画像を読み取る指示を受信する受信工程と、
前記画像形成装置が、ネットワークの通信規格を検出する検出工程と、
前記画像形成装置が、前記画像を読み取り、画像データを作成する読み取り工程と、
前記画像形成装置が、前記検出工程において検出した前記ネットワークの通信規格に応じて前記画像データを圧縮するか否かを判断する判断工程と、
前記画像形成装置が、前記判断工程において前記画像データを圧縮すると判断した場合は、圧縮した画像データを送信し、前記判断工程において前記画像データを圧縮しないと判断した場合は、非圧縮の画像データを送信する送信工程と、
を有する、ことを特徴とする制御方法。
【請求項９】
請求項１ないし７のいずれか１項に記載の情報処理システムが備える各手段としてコンピュータを機能させるためのプログラム。
【発明の詳細な説明】
【技術分野】
【０００１】
本発明は、情報処理システム、画像形成装置、情報処理システムの制御方法、及びプログラムに関する。
【背景技術】
【０００２】
従来、スキャナやＭＦＰ等の画像形成装置において、読取部が読み取った画像データを送信する場合に、プルスキャン（ＰｕｌｌＳｃａｎ）方式が使用されることがある。プルスキャン方式とは、ネットワークに接続された画像形成装置が、ＰＣ（Ｐｅｒｓｏｎａｌ  Ｃｏｍｐｕｔｅｒ）等の端末装置からスキャン開始命令を受信し、スキャン動作を行い、読み取った画像データを送信可能にするものである。  特許文献１は、スキャン開始命令によりスキャン動作を行い読み取ったデータを送信可能な画像形成装置を開示している。特に、特許文献１には、スキャン開始命令を出す機器とスキャン動作を行う機器を互いに離れた位置に設置して行うプルスキャンに適用可能な画像形成装置が開示されている。
【０００３】
プルスキャンを実行する場合に、従来は、読取部が読み取った画像データを、画像形成装置側でＪＰＥＧ（Ｊｏｉｎｔ  Ｐｈｏｔｏｇｒａｐｈｉｃ  Ｅｘｐｅｒｔｓ  Ｇｒｏｕｐ）等の圧縮方式により圧縮データに変換してから、送信することが一般的であった。しかし、近年、ＰＣ上のツールで他の画像フォーマット（ＰＤＦ、ＴＩＦＦ等）に変換や加工を行うことが要求されている。このような場合に、画像形成装置から送信するデータは、ＲＡＷデータである方がＰＣにおける変換や加工が容易となり、またデータを圧縮することにより生じる画像劣化を抑制できるという利点がある。
【先行技術文献】
【特許文献】
【０００４】
【特許文献１】特開２００５−２７７５８４号公報
【発明の概要】
【発明が解決しようとする課題】
【０００５】
しかしながら、ネットワークの通信速度が１０ＢＡＳＥ−Ｔの場合に、読取部が読み取った画像データをＲＡＷデータで送信すると画像データによってネットワーク上のノイズ成分が増加してしまうことがある。これは、１０ＢＡＳＥ−Ｔのデータ変調方式がマンチェスタ符号化を行うためである。詳細には、読取部が読み取った画像データが“１”または“０”の連続データの場合に、ネットワーク上のマンチェスタ符号化方式により変調された通信データが、１０ＭＨｚのクロック状となってしまうことに起因する。
【０００６】
正確には、情報技術装置からの無線妨害波特性の許容値と測定法に関する国際規格であるＣＩＳＰＲ２２で定められている通信ポート妨害波試験において、試験で使用する測定器が信号成分の一部をノイズ成分として変換する。ＣＩＳＰＲは、Ｃｏｍｉｔｅ  Ｉｎｔｅｒｎａｔｉｏｎａｌ  Ｓｐｅｃｉａｌ  ｄｅｓ  Ｐｅｒｔｕｒｂａｔｉｏｎｓ  Ｒａｄｉｏｅｌｅｃｔｒｉｑｕｅｓ（国際無線障害特別委員会）の略称である。ＣＩＳＰＲ２２では、ＬＣＬ（Ｌｏｎｇｉｔｕｄｉｎａｌ  Ｃｏｎｖｅｒｓｉｏｎ  Ｌｏｓｓ）として定義されている。通信データが１０ＭＨｚのクロック状の場合に、上述したノイズ成分へと変換される割合が著しく大きくなってしまう。このため、１０ＭＨｚの周波数における通信ポート妨害波試験において、画像データによっては、ノイズ規格を満たせなくなる場合がある。
【０００７】
一方、ネットワークの通信速度が１００ＢＡＳＥ−Ｔの場合には、上述した事象は問題にならない。画像データが“１”の連続データまたは“０”の連続データとなるのは、それぞれ白画像を読み取った時及び黒画像を読み取った時である。これに対して、１００ＢＡＳＥ−Ｔのデータ変調方式は、ＭＬＴ−３符号であり、４Ｂ−５Ｂ変換及びスクランブル処理を行っている。このため、ネットワーク上の変調された通信データは、適度に“０”と“１”とがランダムに出現し、また、データ信号レベルも低いため問題にならない。
【０００８】
本発明は、プルスキャンを実行する情報処理システムにおいて、通信規格に応じて最適なデータの送信を行うことにより、ノイズの低減と利便性の向上とを両立させることが可能となる情報処理システムを提供することを目的とする。
【課題を解決するための手段】
【０００９】
本発明の一実施形態に係る情報処理システムは、画像形成装置と情報処理装置とを有するシステムであって、画像形成装置は、画像を読み取る指示を受信する受信手段と、ネットワークの通信規格を検出する検出手段と、画像を読み取り、画像データを作成する読み取り手段と、検出手段が検出したネットワークの通信規格に応じて画像データを圧縮するか否かを判断する判断手段と、判断手段が画像データを圧縮すると判断した場合は、圧縮した画像データを送信し、判断手段が画像データを圧縮しないと判断した場合は、非圧縮の画像データを送信する送信手段と、を備える。
【発明の効果】
【００１０】
本発明の情報処理システムによれば、プルスキャンを実行する情報処理システムにおいて、通信規格に応じて最適なデータの送信を行うことにより、ノイズの低減と利便性の向上とを両立させることができる。
【図面の簡単な説明】
【００１１】
【図１】一実施形態に係る情報処理システムのハードウェア構成を示す図である。
【図２】画像形成装置のスキャン画像処理部のハードウェア構成を示す図である。
【図３】ネットワークスキャンのスキャン設定画面の一例を示す図である。
【図４】ネットワークスキャンの制御処理を説明するためのフローチャートである。
【図５】マンチェスタ符号化処理による送信データの様子を示した図である。
【図６】一実施形態に係る情報処理システムの接続形態を示す図である。
【図７】通信速度設定とＬＡＮケーブルの通信速度の対応を示す図である。
【図８】ネットワークスキャンの制御処理を説明するためのフローチャートである。
【発明を実施するための形態】
【００１２】
以下、本発明を実施するための形態について図面などを参照して説明する。
（第１実施形態）
図１は、本発明の一実施形態に係る情報処理システムのハードウェア構成を示すブロック図である。
本発明の一実施形態に係る情報処理システムは、画像形成装置１およびＰＣ（Ｐｅｒｓｏｎａｌ  Ｃｏｍｐｕｔｅｒ）１１７を含む。画像形成装置１は、読取部１１、印刷部１２、操作パネル１３、及びこれらの制御を司る制御部１０にて構成される。これら各部がそれぞれ連動し、印刷、スキャン、コピー、及びファックスなどの機能を実現している。
【００１３】
制御部１０は、スキャナや、外部装置であるホストコンピュータ、ＰＳＴＮ回線（公衆回線）を介して接続されたファクシミリ装置等から受信した画像データに基づいて画像処理等を実行し、例えば用紙上に画像を形成する。
読取部１１は、原稿を画像データとして読み取り、読み取った画像を制御部１０に送信する。読取部１１は、不図示の、原稿を読取るための機能を持つスキャナユニット、及び原稿用紙を搬送するための機能を持つ原稿給紙ユニットにより構成される。
【００１４】
印刷部１２は、記録紙を搬送し、制御部１０から受信した画像データを電子写真方式等で用紙に可視画像として印字し、装置外に排紙する。印刷部１２は、不図示の、複数種類の記録紙カセットを持つ給紙ユニット、画像データを記録紙に転写し、定着させる機能を持つマーキングユニット、及び印字された記録紙をソートし、ステイプルして機外へ出力する機能を持つ排紙ユニットにより構成される。
操作パネル１３は、読取部１１にて読取った原稿を印刷部１２にて画像形成させるための各種の設定を、操作者（ユーザ）からの指示に基づいて行うために用いられる。例えば、タッチパネル方式にて画像形成すべき部数や、画像形成する際の濃度に関する情報や、原稿を読取るための読取部１１の読取解像度（例えば３００ｄｐｉや６００ｄｐｉ）の選択を入力するために用いられる。
【００１５】
制御部１０は、ＣＰＵ１０１、ＲＡＭ１０２、ＲＯＭ１０３、スキャン画像処理部１０４、プリンタ画像処理部１０５、印刷部Ｉ／Ｆ１０６、読取部Ｉ／Ｆ１０７、ＪＰＥＧ１０８、及びＪＢＩＧ１０９を含む。また、制御部１０は、ＭＯＤＥＭ１１１、回線Ｉ／Ｆ１１２、ＵＳＢＩ／Ｆ１１５、及びネットワークＩ／Ｆ１１８を含む。これら制御部１０に含まれる各部は、システムバス１１０にて接続される。
ＣＰＵ１０１は、各種制御プログラムに従って前記の各部を総括的に制御する。各種制御プログラムは、ＲＯＭ１０３のプログラム領域に記憶されており、読み出す事によって実行される。また、各種プログラムは、ＲＯＭ１０３のプログラム領域に記憶された圧縮されたデータをＲＡＭ１０２へ伸張し、展開して実行される。また、各種制御プログラムは、不図示のハードディスクドライブ（ＨＤＤ）に圧縮状態または非圧縮状態で格納してもよい。
【００１６】
ネットワークＩ／Ｆ１１８は、ネットワーク（ＬＡＮ）１１９などを介してＰＣ（ホストコンピュータ、情報処理装置）１１７との通信処理を行う。ネットワークＩ／Ｆ１１８とネットワーク網１２０とは、ＬＡＮケーブルなどの通信ケーブルで接続される。ＭＯＤＥＭ１１１は、回線Ｉ／Ｆ１１２を介して公衆回線網１１４と接続し、不図示の他の画像形成装置やファクシミリ装置、または電話機などと通信処理を行う。回線Ｉ／Ｆ１１２と公衆回線網１１４とは、一般的に電話線１１３などで接続される。
【００１７】
読取部Ｉ／Ｆ１０７は、不図示のＡＦＥ（アナログフロントエンド）を介してＣＣＤ（Ｃｈａｒｇｅ  Ｃｏｕｐｌｅｄ  Ｄｅｖｉｃｅｓ）や、ＣＩＳ（Ｃｏｎｔａｃｔ  Ｉｍａｇｅ  Ｓｅｎｓｏｒ）と接続される。読取部Ｉ／Ｆ１０７は、ＣＣＤ及びＣＩＳからの読取画像信号を入力処理し、入力された画像データは、ＲＡＭ１０２に展開される。スキャン画像処理部１０４は、読取部Ｉ／Ｆ１０７の処理によりＲＡＭ１０２に展開された画像データに対して、画像処理動作モード（カラーコピー、モノクロコピー、カラースキャン、モノクロスキャン等）に応じた画像処理を実行する。
【００１８】
プリンタ画像処理部１０５は、入力された画像データの領域編集や解像度変換処理を行い、処理後の画像データをプリンタ出力するための処理部である。印刷部Ｉ／Ｆ１０６は、印刷部１２（プリンタエンジン）に画像処理結果を出力するためのインタフェースである。ＪＰＥＧ１０８及びＪＢＩＧ１０９は、所定の規格に準拠した画像データの圧縮及び伸張処理を実行する処理部である。
【００１９】
ＣＰＵ１０１は、読取部Ｉ／Ｆ１０７より入力された画像信号を処理し、記録画像信号として印刷部Ｉ／Ｆ１０６へ出力する。ＣＰＵ１０１は、ＲＯＭ１０３のフォント領域に記憶されたフォント情報を用いて、操作パネル１３の表示部に文字や記号を表示する。また、ＣＰＵ１０１は、ユーザの指示を受けた操作パネル１３からの指示情報を受ける。ＣＰＵ１０１は、ＲＯＭ１０３のデータ領域に画像形成装置１の装置情報や、ユーザの電話帳情報、及び部門管理情報等を記憶し、必要に応じて読み出し、また必要に応じて更新する。
【００２０】
次に、図２を用いて、画像形成装置１の読取部１１におけるＣＣＤまたはＣＩＳで読み取られたスキャン画像の蓄積処理について説明する。
図２は、画像形成装置のスキャン画像処理部１０４のハードウェア構成を示す図である。
ＣＣＤまたはＣＩＳでスキャンされた原稿の画像データは、ＡＦＥでＡ／Ｄ変換処理等がなされた後に、読取部Ｉ／Ｆ１０７を介してスキャン画像処理部１０４の入力画像バッファ２０１に蓄積される。この時点では、画像データは、モノクロの場合は１画素につき１バイト、カラーの場合は１画素につき３バイトの多値として扱われている。なお、入力画像バッファ２０１は、１ページ分まとめて確保しておく必要はなく、次の２値化処理部２０２で行う２値化処理の処理単位の大きさ分だけ確保できていればよい。
【００２１】
２値化処理部２０２は、多値画像を一定のデータ量毎に２値画像に変換し、ページバッファ２０３に格納する。次に、画像回転部２０４は、操作パネル１３でのユーザ操作に基づき、ＣＰＵ１０１から画像回転制御のための設定（例えば、回転の有無、回転方向・角度等の設定）を行い、該設定に応じた画像回転処理を行う。画像回転処理を行った画像は、ページバッファ２０５に格納される。その後、ページバッファ２０５に格納された２値画像は、画像エンコード部（モノクロの場合はＪＢＩＧ１０９であり、カラーの場合はＪＰＥＧ１０８である）によりそれぞれエンコード処理（圧縮処理）が行われ、ＲＡＭ１０２に格納される。
【００２２】
なお、本実施形態では、ネットワークスキャンを行う場合には、ＰＣ１１７が大半の画像処理を行うため、画像回転部２０４は画像回転や画像のエンコード処理を行わず、スキャン画像をそのままＲＡＷデータとしてＲＡＭ１０２に格納する。しかし、ネットワーク１１９の通信速度（通信規格）が１０ＢＡＳＥ−Ｔのときのみ、画像のエンコード処理を実行し、１０ＢＡＳＥ−Ｔにおけるデータ変調方式であるマンチェスタ符号化によるノイズレベルへの影響を抑制する。
【００２３】
図３は、ＰＣ１１７のスキャナドライバが表示する、ネットワークスキャンのスキャン設定画面の一例を示す図である。
スキャン設定画面３００は、スキャン処理に関する各種設定を行う画面である。ユーザは、例えば、スキャン画像の保存形式やサイズ、及びパスワード等を設定する。設定後に、スキャン設定画面３００上のスタートボタンを押下すると、ネットワークスキャンが実行される。このとき、作成されたスキャン画像のＲＡＷデータがネットワーク１１９を介して、ＰＣ１１７に送信される。ＰＣ１１７のスキャナドライバは、送信されたＲＡＷデータに対してスキャン設定画面３００で登録された設定に従って画像処理を行う。
【００２４】
図４は、本実施形態に係る画像形成装置が行うネットワークスキャンの制御処理について説明するためのフローチャートである。
なお、図４に示すフローチャートの処理は、ＲＯＭ１０３に格納された（またはＲＯＭ１０３からＲＡＭ１０２に展開された）プログラムに基づいてＣＰＵ１０１によって制御される。
ステップＳ４０１において、ＣＰＵ１０１は、ネットワークスキャンの指示をＰＣ１１７からネットワークＩ／Ｆ１１８を介して受信すると（ステップＳ４０１でＹｅｓ）、ステップＳ４０２へと移行する。
【００２５】
ステップＳ４０２において、ＣＰＵ１０１は、ネットワークＩ／Ｆ１１８に、ネットワーク１１９の通信速度を問い合わせる。ネットワーク１１９の通信速度が、１０Ｂａｓｅ−Ｔの場合（ステップＳ４０２でＹｅｓ）には、ステップＳ４０３において、ＣＰＵ１０１は、通信速度の情報をＰＣ１１７へ通知する。画像形成装置１側のネットワーク１１９の通信速度をＰＣ１１７へ通知することにより、ＰＣ１１７のスキャナドライバは、画像形成装置１から送信されたデータがＲＡＷデータか、またはエンコード処理されたデータ（ＪＰＥＧ）かを判別することができる。ＲＡＷデータである場合には、ＰＣ１１７のスキャナドライバは、送信されたデータに対して登録された設定に従って画像処理を行う。エンコード処理されたデータである場合には、ＰＣ１１７のスキャナドライバは、送信されたデータに対してデコード処理後に、登録された設定に従って画像処理を行う。なお、登録された設定が同じエンコード処理（ＪＰＥＧ）の場合は、画像処理を不要としても良いものとする。
ステップＳ４０４において、ＣＰＵ１０１は、読取部１１を起動して原稿を画像データとして読み取り、スキャン画像処理部１０４が画像データに対して画像処理を行う。そして、ステップＳ４０５において、ＪＰＥＧ１０８がエンコード処理を行い、画像データをＲＡＭ１０２に格納する。
【００２６】
一方で、ネットワーク１１９の通信速度が、１０Ｂａｓｅ−Ｔ以外（１００Ｂａｓｅ−ＴＸ、１０００Ｂａｓｅ−Ｔ等）の場合（ステップＳ４０２でＮｏ）には、処理はステップＳ４０７に移行する。ステップＳ４０７において、ＣＰＵ１０１は、ステップＳ４０４と同様の処理を行った後に、画像データをＲＡＷデータとしてＲＡＭ１０２に格納する。
ステップＳ４０６において、ＣＰＵ１０１は、ＲＡＭ１０２に格納された画像データを、ネットワークＩ／Ｆ１１８へ送信し、ステップＳ４０２で判別したネットワーク通信速度に応じたデータ変調方式に従って変調し、ＰＣ１１７へと送信する。
ＣＰＵ１０１は、画像データの送信が完了すると（ステップＳ４０８でＹｅｓ）、画像形成装置１のネットワークスキャンの制御処理を完了する。
【００２７】
以上のように、本実施形態によれば、１０Ｂａｓｅ−Ｔでのネットワークスキャンの制御を行う場合に、ＪＰＥＧ１０８によりエンコード処理された画像データが画像形成装置１から送信される。
【００２８】
図５は、１０Ｂａｓｅ−Ｔでのデータ送信において、マンチェスタ符号化処理により送信データがクロック状になる（“１”が連続した場合の波形）様子を示す図である。
送信データにおいて、“１”または“０”が連続した場合に、１０Ｂａｓｅ−Ｔのデータ変調方式であるマンチェスタ符号化方式により、１０ＭＨｚのクロック状の波形が生成される。これにより、ノイズ試験（ＣＩＳＰＲ２２の通信ポート妨害波試験）にて検出される妨害波のレベルが悪化することがある。これに対して、本実施形態では、上述したようにＪＰＥＧ１０８がＪＰＥＧ方式により画像データを圧縮する。すなわち、ＪＰＥＧ１０８は、画像データをＹＣｂＣｒ形式のデータに変換し、輝度情報及び色差情報をブロック単位で処理し、さらにＤＣＴ変換（離散コサイン変換）等を行う。このため、“０”または“１”が長く連続することがなく、ノイズ試験にて検出される妨害波のレベルを抑制できる。
【００２９】
なお、本実施形態では、画像データのエンコード処理としてＪＰＥＧ方式を用いる場合について説明したが、“０”または“１”が長く連続することがなければ、その他のエンコード処理を用いることも可能である。
また、ＪＰＥＧ方式のような非可逆圧縮でエンコード処理を行った場合に、ＲＡＷデータを送信する場合に対してネットワークスキャンによる画像データの画質が劣化してしまう。これを回避するために、通信速度が１０Ｂａｓｅ−Ｔの場合、すなわち画像データを圧縮する場合には、ＪＰＥＧ−ＬＳ（Ｌｏｓｓｌｅｓｓ  ＪＰＥＧ）やランレングス等の可逆圧縮を行っても良い。
【００３０】
可逆圧縮により画像データを圧縮する場合に、画像データによってはＲＡＷデータよりもデータサイズが大きくなり、ネットワークスキャンの処理スピードが遅くなる可能性がある。そこで、ユーザがこれを認識し、速度を優先してＪＰＥＧ等の非可逆圧縮により行うか、または画質を優先して可逆圧縮により行うかを選択するようにしても良い。例えば、図３に示したスキャン設定画面において、“速度優先”または“画質優先”を不図示の設定項目として、ユーザが選択するようにしても良い。ユーザが“速度優先”を選択した場合には、ＪＰＥＧでエンコード処理が行われる。また、ユーザが“画質優先”を選択した場合には、ＪＰＥＧ−ＬＳでエンコード処理が行われる。可逆圧縮の処理は、ＪＰＥＧ１０８のような特定の処理部を設けて行っても良く、また、ＣＰＵ１０１が処理しても良いものとする。
【００３１】
以上のように、本実施形態によれば、ネットワークスキャンを実行する際に、画像形成装置がネットワークの通信速度が１０Ｂａｓｅ−Ｔか否かにより、画像データを圧縮するか否かを判断した。そして、通信速度が１０Ｂａｓｅ−Ｔの場合には、画像データを圧縮してＰＣに送信することにより、ノイズ試験において検出される妨害波のレベルを低減することができる。一方、通信速度が１０Ｂａｓｅ−Ｔ以外の場合には、画像データを圧縮せずにＲＡＷデータをＰＣに送信することにより、ユーザは、ＰＣ上で画像処理を容易に行うことが可能となり、利便性を向上させることができる。
【００３２】
（第２実施形態）
次に、本発明の第２実施形態に係る情報処理システムについて説明する。第１実施形態では、ネットワークスキャンを実行する際に、画像形成装置がネットワークの通信速度が１０Ｂａｓｅ−Ｔか否かにより、画像データを圧縮するか否かを判断した。これに対して、本実施形態では、画像形成装置がネットワークの通信速度が１０Ｂａｓｅ−Ｔか否かを判断し、さらに１０Ｂａｓｅ−Ｔであった場合に、画像形成装置の通信設定の変更によりネットワークの通信速度を変更できるか否かを判定する。これにより、画像データを圧縮せずに送信する機会を増加させることが可能となる。なお、第１実施形態に係る情報処理システムと同一構成のものには同一の符号を付し、詳細な説明は省略する。
【００３３】
図６は、本発明の一実施形態に係る情報処理システムの最も簡単な接続形態を示す図である。
図１で説明した画像形成装置１が、ＨＵＢ６０を介してＰＣ１１７と通信処理を行う。画像形成装置１は、ＬＡＮケーブル６１を介してＨＵＢ６０と接続されている。また、ＰＣ１１７は、ＬＡＮケーブル６２を介してＨＵＢ６０と接続されている。
画像形成装置１のノイズ試験は、図６の接続形態で行われ、ＣＩＳＰＲ２２の通信ポート妨害波試験では、画像形成装置１とＨＵＢ６０との間に測定器を接続し、ＬＡＮケーブル６１上のノイズ成分が測定される。
図６の構成では、画像形成装置１とＨＵＢ６０とＰＣ１１７とのそれぞれのネットワーク通信速度の設定により、ＬＡＮケーブル６１上とＬＡＮケーブル６２上の通信速度が違う可能性がある。そのため、図４に示した第１実施形態におけるネットワークスキャンの制御処理のステップＳ４０２で検出される通信速度は、ノイズ試験での測定対象となるＬＡＮケーブル６１上の通信速度である。
【００３４】
図７は、画像形成装置及びＨＵＢの通信速度設定と、ＬＡＮケーブルの通信速度の対応を示す図である。
図７では通信速度設定がＡＵＴＯ、１０Ｂａｓｅ−Ｔ、及び１００Ｂａｓｅ−ＴＸの３種類に切替えが可能としたが、これに限られるものではない。例えば、１０００Ｂａｓｅ−Ｔ等、その他の通信速度に対応しても良く、また、ＡＵＴＯのみや１０Ｂａｓｅ−Ｔ、１００Ｂａｓｅ−ＴＸのみであっても良い。
【００３５】
本実施形態では、画像形成装置１が１０Ｂａｓｅ−Ｔとそれ以外の２種類以上の通信速度設定が可能であり、ネットワークスキャンを実行した時のＬＡＮケーブル６１上の通信速度が１０Ｂａｓｅ−Ｔであった場合について説明する。図７に示すように、ＨＵＢ６０の通信速度設定がＡＵＴＯであった場合には、画像形成装置１は、１０Ｂａｓｅ−Ｔ以外の通信速度設定に切り替える。これにより、ＬＡＮケーブル６１上の通信速度を１０Ｂａｓｅ−Ｔ以外（１００Ｂａｓｅ−ＴＸ）に変更することができる。
【００３６】
図８は、本実施形態に係る画像形成装置が行うネットワークスキャンの制御処理について説明するためのフローチャートである。
本実施形態では、画像形成装置１が通信速度設定を切り替えることによりＬＡＮケーブル６１上の通信速度を一時的に１０Ｂａｓｅ−Ｔ以外に切替えてネットワークスキャンを実行する。これにより、ネットワークが１０Ｂａｓｅ−Ｔにおいてノイズ規格を満たせなくなる事象を解消することができる。なお、図８に示すフローチャートの処理は、ＲＯＭ１０３に格納された（またはＲＯＭ１０３からＲＡＭ１０２に展開された）プログラムに基づいてＣＰＵ１０１によって制御される。
【００３７】
ステップＳ８０１において、ＣＰＵ１０１は、ネットワークスキャンの指示をＰＣ１１７からネットワークＩ／Ｆ１１８を介して受信すると（ステップＳ８０１でＹｅｓ）、ステップＳ８０２へと移行する。
ステップＳ８０２において、ＣＰＵ１０１は、ネットワークＩ／Ｆ１１８に、ネットワーク１１９の通信速度を問い合わせる。ネットワーク１１９の通信速度が、１０Ｂａｓｅ−Ｔの場合（ステップＳ８０２でＹｅｓ）には、ステップＳ８０３において、ＣＰＵ１０１は、ネットワークＩ／Ｆ１１８の通信設定を確認する。ネットワークＩ／Ｆ１１８の通信設定が１０Ｂａｓｅ−Ｔの場合（ステップＳ８０３でＹｅｓ）には、ステップＳ８０４において、ＣＰＵ１０１は、ネットワークＩ／Ｆ１１８の通信設定をＡＵＴＯに変更し、再度ネットワーク１１９の通信速度を問い合わせる。ネットワーク１１９の通信速度が１０Ｂａｓｅ−Ｔの場合（ステップＳ８０５でＹｅｓ）には、ＨＵＢ６０の通信設定が１０Ｂａｓｅ−Ｔに固定であり、画像形成装置１の通信設定変更ではネットワーク１１９の通信速度を変更できないことを示している。すなわち、画像データはＲＡＷデータのまま送信できず、図４のステップＳ４０３以降の処理と同様の処理が行われる。すなわち、画像形成装置１は、画像データのエンコード処理を行い、エンコード処理された画像データがＰＣ１１７に送信される。
【００３８】
また、ステップＳ８０３において、ネットワークＩ／Ｆ１１８の通信設定が１０Ｂａｓｅ−Ｔ以外の場合（ステップＳ８０３でＮｏ）には、ＨＵＢ６０の通信設定が１０Ｂａｓｅ−Ｔに固定である。すなわち、画像形成装置１の通信設定変更によりネットワーク１１９の通信速度を変更できない。
また、ステップＳ８０５において、ネットワーク１１９の通信速度が１０Ｂａｓｅ−Ｔ以外の場合（ステップＳ８０５でＮｏ）には、ＨＵＢ６０の通信設定がＡＵＴＯである。そして、画像形成装置１の通信設定の変更により、ネットワーク１１９の通信速度を変更できる。この場合には、ネットワーク１１９の通信速度を１０Ｂａｓｅ−Ｔ以外とし、ステップＳ８１０以降の処理を行う。すなわち、画像形成装置１は、ＲＡＷデータをＰＣ１１７に送信する。
【００３９】
以上のように、本実施形態によれば、第１実施形態と同様の効果を奏する。さらに、本実施形態によれば、画像形成装置１の通信速度設定を変更し、ＬＡＮケーブル６１（ネットワーク）上の通信速度を変更できる場合（ステップＳ８０５でＮｏ）には、ＬＡＮケーブル６１上の通信速度を１０Ｂａｓｅ−Ｔ以外に変更する。これにより、ＬＡＮケーブル６１上の通信速度が１０Ｂａｓｅ−Ｔであっても、ＲＡＷデータのまま画像データをＰＣに転送することが可能となり、ユーザの利便性を向上することができる。
【００４０】
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【００４１】
以上、本発明の好ましい実施形態について説明したが、本発明は、これらの実施形態に限定されず、その要旨の範囲内で種々の変形および変更が可能である。
【符号の説明】
【００４２】
１      画像形成装置
１１    読取部
１０１  ＣＰＵ
１１７  ＰＣ
１１９  ネットワーク
【図１】
2016149666.tif 000003
【図２】
2016149666.tif 000004
【図３】
2016149666.tif 000005
【図４】
2016149666.tif 000006
【図５】
2016149666.tif 000007
【図６】
2016149666.tif 000008
【図７】
2016149666.tif 000009
【図８】
2016149666.tif 000010